(57)【特許請求の範囲】
【請求項１】
円形編み機を使用して、口編部１，身編部２，第１袋部３，膨大部４，第２袋部５を連続編成し、かがり部６を閉じるフートカバーの編成方法において、
口編部１及び身編部２は円形編機の全針を使用して周回編成を行い筒状に連続編成し、
身編部２に続く第１袋部３は、身編部２の編成終了後、略半周に相当する不作用位置とした針以外の針を用いた往復編成により、かつ、往復編成時その端部の針を順次不作用位置に保つことにより、編幅を減少しつつ編成開始コースＡＡ´より編成終了コースａａ´が短い台形編地３１を編成し、前記台形編地３１に続いて、同台形編地３１の最終コースａａ´の両端部分の複数針ａｂ，ｂ´ａ´を不作用位置にした作用位置の針ｂｂ´を用いて台形編地３２の編成開始コースを編成し、爾後コース編成が進むにつれ編幅を増大し、編成開始コースが短く、編成終了コースが台形編地３１の最終コースａａ´と同じ長さの台形編地３２を編成し、台形編地３２の編成時台形編地３２の斜辺ａｂと台形編地３１の最終コース端部編目ａｂとを編み綴じし、ゴアラインａｂを形成し、かつ、台形編地３２の斜辺ａ´ｂ´と台形編地３１の最終コース端部編目ａ´ｂ´とを編み綴じし、ゴアラインａ´ｂ´を形成し、続いて複数の台形編地３３〜３４をその長辺ａ，ａ´同志或は短辺ＢＢ´同志を接続させて連続編成すると共に、台形編地３１，３３の斜辺Ａａ，ａＢと台形編地３４の斜辺ＡＢとを編み綴じし、ゴアラインＡＢを形成し、かつ、台形編地３１，３３の斜辺Ａ´ａ´，ａ´Ｂ´と台形編地３４の斜辺Ａ´Ｂ´とを編み綴じしゴアラインＡ´Ｂ´を形成して袋状として第１袋部３を編成し
膨大部４は第１袋部３の最終コースＡＲＡ´に連続し、往復回転編成の往復の編成時にその編成部位の両端の針数を増やし編幅を増大した台形編地４１を編成し、上記編成の途次、身編部２の最終コースの内前記第１袋部３の編成に加わらず不作用位置にあった針の内第１袋部に近い針ＡＣ，Ａ´Ｃ´間の針により台形編地４１の斜辺を身編部最終コースに編み綴じし、更に、前記台形編地４１の最終コースに続いて該コース幅より狭い頂辺を有しそれにより幅広の底辺を有する台形の編地４２を編成すると共にその斜辺ＣＤ，Ｃ´Ｄ´を前記の台形編地４１の底辺両端部に編み綴じ、ゴアラインＣＤ，Ｃ´Ｄ´を有する膨大部４とし、
第２袋部５は、膨大部４の最終コースＣ−Ｔ−Ｃ´の編成終了後、前記最終コースの両端ＣＥ，Ｃ´Ｅ´の針を不作用位置にし、残余の針ＥＥ´を用いて膨大部４の最終コースＣＣ´より編幅の狭い編幅ＥＥ´とし編み機の往復回転によりその往復毎に編幅を減じた台形編地５１を編成し、続いて編成した複数の台形編地５２，５３，５４をその短辺ＦＦ´，ＧＧ´，長辺ｅｅ´同志を接続させて連続編成し、該連続編成した最初の台形編地５１と最後の台形編地５４とは対称の形状として、隣接し合う台形編地の斜辺ＥＦとＦｅ，ｅＧとＧＥ，Ｅ´Ｆ´とＦ´ｅ´，ｅ´Ｇ´とＧ´Ｅ´とを編み綴じすると共に、ＥＦとＧＥ間の編み綴じされていない斜辺同志、及び、Ｅ´Ｆ´とＧ´Ｅ間の編み綴じされていない斜辺同志のそれぞれを編み綴じしてゴアラインＥｅ，ｅＦ，ｅＧを形成して袋状の第２袋部５とし、
第２袋部５編成後、第２袋部５の最終コースＥＬＥ´と、膨大部４の最終台形編地４２の最終コースＣＣ´の内第２袋部５の編成に加わらなかったウエールＣＥ，Ｃ´Ｅ´と、身編部２の最終コースの残余のウエールとにより形成されたかがり部６を閉鎖してなるフートカバーの編成方法。
【請求項２】
膨大部を構成する１段よりなる台形編地の最終コースと、身編部２の最終コースの残余のウエールに連続して短いコース数の筒状編地からなるリング部を編成した後、再度往復回転に切換え、第２袋部５の編成に移行することを特徴とする請求項１記載のフートカバーの編成方法。
【発明の詳細な説明】
【０００１】
【発明の属する技術分野】
本発明は、開口部が広く靴中に隠れ易いと共に、前後各方向から着用することで被覆度を選択可能なフートカバーの編成方法に関するものである。
【０００２】
【従来の技術】
フートカバーは、足部のみからなる浅船形のカバーで、インナーソックスとして靴の内部に隠す目的で使用されるものや、ルームソックスのように室内での使用を目的としたものなどが有る。靴の内部に着用する場合、その形態ゆえに歩行時に踵部の生地がずれ落ち易いため、極端に浅くすることはできず、履口が広く浅いパンプス等ではストッキングを着用することになる。
【０００３】
しかし、夏場は薄手のストッキングであっても暑く、できれば着用を避けたいところであるが、素足で靴を履く場合、発汗により蒸れ非常に不快であるうえ、足部と靴との衝撃，摩擦により靴ずれを起こし易くなるという問題も生じる。また、ストッキングを着用しても、通常のソックスやフートカバーに比べれば吸湿性やクッション性は劣るので、仕事等で長時間に亘り靴を履き続けるような場合はフートカバーを併用したいところであるし、逆に、寒冷期には保温のためフートカバーを重ね履くことは有意義であると云える。
【０００４】
一方、同じフートカバーを履口の狭い靴で使用する場合や、ルームソックスとして使用する場合には、穿口の開口部はそれほど広い必要は無く、広過ぎるとかえって靴の履き心地を損ね、また、保温性も低下することになる。
【０００５】
【発明が解決しようとする課題】
本発明は、従来のフートカバーの上記の点に鑑みて、靴の内部に隠れ易く、従来着用が困難であったパンプス等のような履口が広く浅い靴でも素足感覚で着用できると共に、前後いずれの方向からも着用でき爪先から足甲部にかけての被覆度が選択可能なフートカバーを提供することを目的としてなされたものである。
【０００６】
【課題を解決するための手段】
請求項１の発明は円形編み機を使用して、口編部１，身編部２，第１袋部３，膨大部４，第２袋部５を連続編成し、かがり部６を閉じるフートカバーの編成方法において、
口編部１及び身編部２は円形編機の全針を使用して周回編成を行い筒状に連続編成し、
身編部２に続く第１袋部３は、身編部２の編成終了後、略半周に相当する不作用位置とした針以外の針を用いた往復編成により、かつ、往復編成時その端部の針を順次不作用位置に保つことにより、編幅を減少しつつ編成開始コースＡＡ´より編成終了コースａａ´が短い台形編地３１を編成し、前記台形編地３１に続いて、同台形編地３１の最終コースａａ´の両端部分の複数針ａｂ，ｂ´ａ´を不作用位置にした作用位置の針ｂｂ´を用いて台形編地３２の編成開始コースを編成し、爾後コース編成が進むにつれ編幅を増大し、編成開始コースが短く、編成終了コースが台形編地３１の最終コースａａ´と同じ長さの台形編地３２を編成し、台形編地３２の編成時台形編地３２の斜辺ａｂと台形編地３１の最終コース端部編目ａｂとを編み綴じし、ゴアラインａｂを形成し、かつ、台形編地３２の斜辺ａ´ｂ´と台形編地３１の最終コース端部編目ａ´ｂ´とを編み綴じし、ゴアラインａ´ｂ´を形成し、続いて複数の台形編地３３〜３４をその長辺ａ，ａ´同志或はＢＢ´同志を接続させて連続編成すると共に、台形編地３１，３３の斜辺Ａａ，ａＢと台形編地３４の斜辺ＡＢとを編み綴じし、ゴアラインＡＢを形成し、かつ、台形編地３１，３３の斜辺Ａ´ａ´，ａ´Ｂ´と台形編地３４の斜辺Ａ´Ｂ´とを編み綴じしゴアラインＡ´Ｂ´を形成して袋状として第１袋部３を編成し
膨大部４は第１袋部３の最終コースＡＲＡ´に連続し、往復回転編成の往復の編成時にその編成部位の両端の針数を増やし編幅を増大した台形編地４１を編成し、上記編成の途次、身編部２の最終コースの内前記第１袋部３の編成に加わらず不作用位置にあった針の内第１袋部に近い針ＡＣ，Ａ´Ｃ´間の針により台形編地４１の斜辺を身編部最終コースに編み綴じし、更に、前記台形編地４１の最終コースに続いて該コース幅より狭い頂辺を有しそれにより幅広の底辺を有する台形の編地４２を編成すると共にその斜辺ＣＤ，Ｃ´Ｄ´を前記の台形編地４１の底辺両端部に編み綴じ、ゴアラインＣＤ，Ｃ´Ｄ´を有する膨大部４とし、
第２袋部５は、膨大部４の最終コースＣ−Ｔ−Ｃ´の編成終了後、前記最終コースの両端ＣＥ，Ｃ´Ｅ´の針を不作用位置にし、残余の針ＥＥ´を用いて膨大部４の最終コースＣＣ´より編幅の狭い編幅ＥＥ´とし編み機の往復回転によりその往復毎に編幅を減じた台形編地５１を編成し、続いて編成した複数の台形編地５２，５３，５４をその短辺ＦＦ´，ＧＧ´，長辺ｅｅ´同志を接続させて連続編成し、該連続編成した最初の台形編地５１と最後の台形編地５４とは対称の形状として、隣接し合う台形編地の斜辺ＥＦとＦｅ，ｅＧとＧＥ，Ｅ´Ｆ´とＦ´ｅ´，ｅ´Ｇ´とＧ´Ｅ´とを編み綴じすると共に、ＥＦとＧＥ間の編み綴じされていない斜辺同志、及び、Ｅ´Ｆ´とＧ´Ｅ間の編み綴じされていない斜辺同志のそれぞれを編み綴じしてゴアラインＥｅ，ｅＦ，ｅＧを形成して袋状の第２袋部５とし、
第２袋部５編成後、第２袋部５の最終コースＥＬＥ´と、膨大部４の最終台形編地４２の最終コースＣＣ´の内第２袋部５の編成に加わらなかったウエールＣＥ，Ｃ´Ｅ´と、身編部２の最終コースの残余のウエールとにより形成されたかがり部６を閉鎖した。
請求項２の発明は、請求項１記載の発明において膨大部を構成する１段よりなる台形編地の最終コースと、身編部２の最終コースの残余のウエールに連続して短いコース数の筒状編地からなるリング部を編成した後、再度往復回転に切換え、第２袋部５の編成に移行するようにした。
【０００７】
そして、上記膨大部が、その中間のコースにおいてそれ以前に追加されたウエールの一部または全部の編目を一挙に減らし、該減らした編目を再度往復回転編成と共に順次追加することにより、複数段の台形編地で構成されているようにした。更に、上記第１袋部及び／または第２袋部が、目減らし／目増やし操作を複数回行うことにより、主ゴアラインから分岐した副次的なゴアラインを有する袋状編地で構成されているものとした。そして上記各場合において、膨大部の最終コースと身編部最終コースの残余のウエールに連続して周回編成により短い筒状に編成されたリング部を有し、第２袋部は前記リング部の略半周ウエールに連続して編成されているようしても良い。
【０００８】
【発明の実施の形態】
図１乃至図３に、本発明方法により編成したフートカバー１０１を示す。図において、フートカバー１０１は、円形編機（丸編靴下編機）を使用して連続編成された口編部１、身編部２、第１袋部３、膨大部４、第２袋部５を有する。
【０００９】
口編部１及び身編部２は円形編機の全針を使用して周回編成を行い筒状に編成されている。口編部１はゴム糸を挿入してダブルウエルトに編成され、また身編部２は口編部１に続けて編成されるが、通常の靴下とは異なりレッグ部を形成するものではなく、編地全体の形を整え第１袋部３、膨大部４、第２袋部５を編成して行く上での云うなればベースとなる部分であり、５〜１０コース程度の比較的少ないコース数のみ編成される。尚、口編部１はダブルウエルト以外であっても良い。
【００１０】
第１袋部３は、身編部２の編成終了後、図１及び図３におけるＡより左側の半周に相当する針を不作用位置に上昇し、往復回転編成により以下の操作で袋状に編成される。先ず、図４に示す如く半周に相当するＡ−Ａ´の針で編み初め、一往復の編成毎にその編成部位の両端の針を順次不作用位置に上げ編幅を減少しつつａ−ａ´まで編成し台形編地３１を編成する。
【００１１】
次いで、ａ−ａ´のコースにおいてａ−ｂ，ａ´−ｂ´に相当する複数本の針を一挙に不作用位置に上げてｂ−ｂ´まで編幅を減少させた後、今度は逆に一往復の編成毎にその編成部位の両端の針を順次増やし編幅を増大しつつａ−ａ´まで編成し台形編地３２を編成する。この際、ａ−ｂ，ａ´−ｂ´間の編目を保持したまま不作用位置にあった針が順次編成に加わることにより、台形編地３１の最終コースａ−ｂ，ａ´−ｂ´は台形編地３２の斜辺ａ−ｂ，ａ´−ｂ´に編み綴じされる。
【００１２】
次に、ａ−ａ´からＢ−Ｂ´（前記ｂ−ｂ´と同じ編幅）まで順次編幅を減少しつつ台形編地３３を編成した後、Ａ−Ａ´まで順次編幅を増大させつつ台形編地３４を編成し、Ａ−ａ−ＢとＡ−Ｂ，Ａ´−ａ´−Ｂ´とＡ´−Ｂ´がそれぞれ編み綴じされることによって主ゴアラインＡ−Ｂ（以下の説明において反対側面に現れるゴアライン（この場合Ａ´−Ｂ´）については記載を省略する）と、それよりｙ字状に分岐した副次的なゴアラインａ−ｂを有する第１袋部３が形成される。
【００１３】
膨大部４は、第１袋部３の最終コースＡ−Ｒ−Ａ´に連続し、往復回転編成のまま前記同様に一往復の編成毎にその編成部位の両端の針を順次増やし編幅を増大しつつＣ−Ｓ−Ｃ´まで編成し台形編地４１を編成する。この際、身編部２の最終コースのうち第１袋部３の編成に加わらず編目を保持したまま不作用位置にあったＡ−Ｃ，Ａ´−Ｃ´間の針が順次編成に加わることにより、該身編部最終コースＡ−Ｃ，Ａ´−Ｃ´は台形編地４１の斜辺に編み綴じされ、前記主ゴアラインＡ−Ｂをそのまま延長した延長ゴアラインＡ−Ｃが形成される。
【００１４】
次いで、Ｃ−Ｓ−Ｃ´のコースにおいてＣ−Ｄ，Ｃ´−Ｄ´に相当する針を一挙に不作用位置に上げて一旦Ｄ−Ｄ´まで編幅を減少させた後、再度前記同様に編成部位の両端の針を順次増やし編幅を増大しつつＣ−Ｔ−Ｃ´まで編成し台形編地４２を編成する。この過程で編目を保持したまま一旦不作用位置に上がっていた台形編地４１の最終コースＣ−Ｄ，Ｃ´−Ｄ´の針が順次編成に加わることにより、台形編地４１の底辺の両側部分が台形編地４２の斜辺に編み綴じされ、ゴアランインＣ−Ｄが形成される。
【００１５】
図示例では、Ａ−Ａ´とＤ−Ｄ´の各コースは（後述するＥ−Ｅ´も）ウエール数が同じであり、図３のＡ−Ｄ−Ｅは同一ウエールラインを示しており、膨大部４の各台形編地４１，４２において増加したＣ−Ｄに相当するウエールの分だけ、第１袋部３より膨大している。
【００１６】
第２袋部５は、上記膨大部４の最終コースＣ−Ｔ−Ｃ´の編成終了後、前記最終コースの両端Ｃ−Ｅ，Ｃ´−Ｅ´の針を不作用位置に上昇し、全体の半周に相当する針で往復回転編成によってＥ−Ｅ´より編み始め、第１袋部３と同様に一往復の編成毎にその編成部位の両端の針を順次不作用位置に上げ編幅を減少しつつＦ−Ｆ´まで台形編地５１を編成し、次いでＦ−Ｆ´からｅ−ｅ´までは順次編幅を増大し台形編地５２を編成した後、Ｇ−Ｇ´まで再度編幅を減少し、台形編地５３を編成し続いてＥ−Ｌ−Ｅ´までは逆に編幅を増大することにより台形編地５４を編成し、Ｙ字形のゴアラインＥ−ｅ−Ｆ及びｅ−Ｇを有する袋状の編地に編成されている。
【００１７】
そして、上記第２袋部５の編成後、全ての針を作用位置に戻し、第２袋部５の最終コースＥ−Ｌ−Ｅ´、膨大部４の台形編地４２の最終コースのうち第２袋部５の編成に加わらなかったウエールＣ−Ｅ、Ｃ´−Ｅ´と、身編部２の最終コースの残余のウエールとに続けて、周回編成によりリンキングコースや捨て編部（図示せず）を編成するなどした後、かがり部６（Ｌ−Ｅ−Ｃ−Ｃ´−Ｅ´−Ｌ）に沿って開口部をリンキング等の手段により閉鎖すればフートカバー１０１は完成する。
【００１８】
上記の如く構成されたフートカバー１０１は、図２に示されるように、第１袋部３側に比べて第２袋部５側の幅が広くなっている。また、膨大部４の中間で、それ以前の台形編地４１の編成で追加した針を一旦不作用位置に上げ、再度編幅を増やしつつ台形編地４２を編成することで２段階の膨大部を形成した結果、フートカバー１０１の上面側の編地に比べて下面側の編地が多くなり、第２袋部５のコース数が第１袋部３に比べて少ないにも拘らず、図１に示すように充分に深く形成され、且つ、やや上向きとなっている。
【００１９】
上記の構造的な特徴によってフートカバー１０１は、前後いずれの方向にも着用でき、且つ、それぞれの着用方向によって爪先から足甲部にかけての被覆度が変化する。
【００２０】
即ち、図５（ａ）〜（ｃ）に実線で示すように第１袋部３を爪先側、第２袋部５を踵側として、従来の一般的な編靴下の場合と逆向きに着用すれば、第１袋部３に比べて幅が広く深い第２袋部５によって踵部が充分に被覆され且つずれ落ち難くなる一方、爪先側では、相対的に狭い第１袋部３が引き伸ばされれる結果、図６に示すように足甲部の開きが大きくなり、パンプス等、履口が広く浅い靴でも靴の中に完全に隠すことができる。
【００２１】
一方、図５（ａ）〜（ｃ）に１点鎖線で示すように上記とは逆に第１袋部３を踵側、第２袋部５を爪先側として着用すれば、爪先から足甲部にかけての被覆度が増し、履口の狭い靴を履く場合や、ルームソックスとして着用する場合に好都合である。
【００２２】
フートカバー１０１を編成する糸や、編組織は特に限定されるものではなく、用途や使用目的に応じて適宜選択できるが、ポリウレタン弾性糸などを芯糸にしたシングルカバードヤーン（ＳＣＹ），ダブルカバードヤーン（ＤＣＹ），コアスパンヤーン（ＣＳＹ）等のカバリング弾性糸のような伸縮性の糸を用いて全体を編成するか、若しくは、前記伸縮性の糸と綿等の非伸縮性の糸を併用して交編、またはプレーティングを行うことにより編地の伸縮性を高めればフィット性が向上し、使用感，外観共に良好である。また内面パイル編成とすればクッション性や吸放湿性、保温性が向上し、インナーソックスとしても、ルームソックスとしても最適である。
【００２３】
上記実施形態では、同じコース数の台形編地４１，４２により２段階に亘り編幅を増加させる膨大部４を有するフートカバー１０１について述べたが、本発明には、膨大部の構成等により種々の実施形態が存在し、以下代表的なものについて説明する。
【００２４】
図７及び図８に示す実施形態のフートカバー２０１は、膨大部２０４の編成において、前記第１実施形態のフートカバー１０１と同様にして台形編地４１，４２を編成した後、台形編地の最終コースＣ−Ｕ−Ｃ´に続いて、往復回転編成のまま順次編幅を増大しつつＨ−Ｔ−Ｈ´まで編成し台形編地４３を編成する。この間、編目を保持したまま不作用位置にあった身編部最終コースＣ−Ｈ，Ｃ´−Ｈ´の針が順次編成に加わることで台形編地４３に編み綴じされ、ゴアラインＣ−Ｈが形成される。
【００２５】
上記フートカバー２０１の膨大部２０４は見方を変えれば、編幅を一挙に減らしたＤ−Ｓ−Ｄ´のコースを境として、その前段側の台形編地４１と、後段側の台形編地（４２＋４３）の大きさを異ならせ、前段側（４１）を相対的に小さく、後段側（４２＋４２４３）を相対的に大きくしたものであり、ゴアラインＡ−ＣとゴアラインＣ−Ｄとの交点Ｃがかがり部６から離れる利点がある。
【００２６】
図９及び図１０に示す実施形態のフートカバー３０１は、膨大部３０４の中間で編幅を一挙に減らす操作を行わず、１段の台形編地４１のみをもって膨大部３０４の編成を終える。その後、一旦周回編成に切換え、図４に示す例と同様前記膨大部３０４（４１）の最終コースＣ−Ｔ−Ｃ´及び身編部２の最終コースの残余のウエールに連続して数コース乃至は１０数コース程度の短い筒状編地からなるリング部７を編成した後、再度、往復回転編成に切換え、第２袋部５の編成に移行し、該第２袋部５の最終コースＥ−Ｌ−Ｅ´と前記リング部７の最終コースとを綴じ合わせるようにしたものである。
【００２７】
上記フートカバー３０１では、前記各実施形態のフートカバー１０１，２０１に比べ膨大部３０４のコース数が少なく足底側の編地が少なくなるが、リング部７によって第２袋部５の深さが多少増加することで補われ、また、リング部７によってゴアラインＣ−Ａがかがり線６から離れる利点がある。
【００２８】
尚、上記各実施形態では、第２袋部５からフートカバーの下面側（足底側）で膨大部４，２０４，３０４に連続し、上面側にかがり線６が現れる場合を示したが、第２袋部５をフートカバーの上面側で身編部２及び膨大部４，２０４，３０４に連続させ、かがり線６がフートカバーの下面側に現れるようにしても良い。
【００２９】
また、上記各実施形態では膨大部４，２０４，３０４が１段乃至２段の台形編地４１，４２（４２＋４３）からなる場合を示したが、３段以上とすることも出来る。更に、第１袋部３，第２袋部５は、Ｙ字形以外のゴアライン、例えば、副次的なゴアラインを含まないストレートラインとしたり、２以上の副次的なゴアラインを含むものとすることもできる。
【００３０】
また、上記各実施形態では膨大部４，２０４，３０４が、一往復の編成毎にその編成部位の両側の針を１本ずつ増やしていく場合を想定して説明したが、目増やしする度合いはそれに限定されるものではなく、一往復の編成毎に２本以上ずつ増やしたり、２往復以上の編成毎に１本ずつ増やす等であっても良い。
【００３１】
また、上記各実施形態では、口編部１、身編部２、第１袋部３、膨大部４、第２袋部５の順に連続編成する場合について述べたが、これと反対に第２袋部５（かがり部６）側から順に編成することも可能であり、その場合、編幅を増やす／減らすという箇所はそれと反対の操作で置換されることになる。
【００３２】
【発明の効果】
本発明方法によるフートカバーは、上述の通り構成されているので、従来のフートカバー或は靴下における足部に相当する筒状編地部分が実質的に存在せず、第１袋部と第２袋部との中間に位置した膨大部によって足底部分に対応する編地が形成されているため、着用時には口編部が引き伸ばされることによって広範囲に亘る開口部を形成し、靴の内側に容易に隠すことができる。
【００３３】
特に、相対的に幅の狭い第１袋部を爪先側に、相対的に幅の広い第２袋部を踵側にして着用した場合、爪先側の開口が最大となり足甲部の殆どが開放状態となるので、従来着用が困難であったパンプス等のような履口が広く浅い靴でも、靴の内側に隠して素足感覚で着用できると共に、ストッキングと重ねてインナーソックスとして着用する場合にも、吸放湿性、クッション性、保温性などストッキングの性能を季節や使用目的に応じて補完することができる。
【００３４】
また、前後いずれの方向からも着用でき、且つ、着用方向によって爪先から足甲部にかけての被覆度が選択可能であるため、１つのフートカバーで靴の広狭に対応した２通りの被覆度で使用でき、利用範囲が広い。
【００３５】
更に、膨大部が、その中間のコースにおいてそれ以前に追加されたウエールの一部または全部の編目を一挙に減らし、該減らした編目を再度往復回転編成と共に順次追加することにより、複数段の台形編地で構成されている形態にあっては、上面側に比べて下面側即ち足底側の編地が多くなり、且つ、第１袋部及び第２袋部が共にやや上向きになるため、踵側に位置した各袋部がずれ落ち難くなると共に、足の形状に適合しフィット性が一層良好になる。
【００３６】
また、第１袋部及び／または第２袋部が、目減らし／目増やし操作を複数回行うことにより、主ゴアラインから分岐した副次的なゴアラインを有する袋状編地で構成されている形態にあっては、各袋部の爪先や踵へのフィット性が向上し、踵側に位置した各袋部がずれ落ち難くなると共に、編地各部の伸びが平均化され形態安定度を向上できる。
【図面の簡単な説明】
【図１】本発明実施形態のフートカバーを示す自然状態での側面図である。
【図２】本発明実施形態のフートカバーを示す自然状態での平面図である。
【図３】本発明実施形態のフートカバーの編成過程を示す模式的な側面図である。
【図４】本発明実施形態のフートカバー編成過程を示す要部展開図である。
【図５】（ａ）は、本発明実施形態のフートカバーの着用前の状態を示す概略平面図、（ｂ）は着用状態の平面図、（ｃ）は側面図である。
【図６】本発明実施形態のフートカバーの着用状態を示す斜視図である。
【図７】本発明第２実施形態のフートカバーの編成過程を示す模式的な側面図である。
【図８】本発明第２実施形態のフートカバーの編成過程を示す要部展開図である。
【図９】本発明第３実施形態のフートカバーの編成過程を示す模式的な側面図である。
【図１０】本発明第３実施形態のフートカバーの編成過程を示す要部展開図である。
【符号の説明】
１  口編部
２  身編部
３  第１袋部
４，２０４，３０４  膨大部
５  第２袋部
６  かがり部
７  リング部
１０１，２０１，３０１  フートカバー
【図１】
0003809778.tif 000002
【図２】
0003809778.tif 000003
【図３】
0003809778.tif 000004
【図４】
0003809778.tif 000005
【図５】
0003809778.tif 000006
【図６】
0003809778.tif 000007
【図７】
0003809778.tif 000008
【図８】
0003809778.tif 000009
【図９】
0003809778.tif 000010
【図１０】
0003809778.tif 000011